(57)【要約】【課題】  水生動物の生息や水生植物の生育にとって、より好適な環境を有利に形成し得る護岸の新規な構造を提供する。【解決手段】  矩形Ｃ字型断面形状の魚巣ブロック１４の少なくとも一つが、後壁２０の後面を、河川や水路の岸の法面２８側に向くように、且つ前壁１８及び後壁２０を、水流方向に延出して位置させるように設置されてなる魚巣ブロック設置ゾーン１０と、矩形のカゴ枠３６の少なくとも一つが、一側面を、前記法面２８側に向くように設置されてなるカゴ枠設置ゾーン１２とを、該カゴ枠設置ゾーン１２におけるカゴ枠３６の上部部位が、前記魚巣ブロック設置ゾーン１０における魚巣ブロック１４の天井壁２２の上面よりも上方に位置せしめられた状態で、水流に沿った方向において互いに隣接するように、並んで配設して、構成した。【選択図】          図  １
2005188021.tif 000002
【特許請求の範囲】
【請求項１】
河川乃至は水路の岸に構築される護岸構造であって、所定幅をもって左右方向に延びる底壁と、該底壁の前後方向における前縁部に立設された、高さの低い前壁と、該底壁の前後方向における後縁部に立設された、該前壁よりも高さの高い後壁と、該後壁の上縁部から前方に延びるように突設された、前記底壁よりも前後方向の長さが短い天井壁とが一体成形されてなる、矩形Ｃ字型断面形状の魚巣ブロックの少なくとも一つを用い、該魚巣ブロックを、該後壁の後面が前記岸の法面側に向くように、且つ前記前壁及び後壁が、前記河川乃至は水路の水流に沿った方向に延びるように、位置せしめられると共に、該魚巣ブロックの前記底壁上に石等が敷設された状態で、設置せしめてなる魚巣ブロック設置ゾーンと、多数の開口を設けて多孔形態とした鋳鉄製の平面枠にて四方が取り囲まれてなる、所定高さの矩形のカゴ枠の少なくとも一つを用い、該カゴ枠を、その一側面が、前記岸の法面側に向くように、そして該カゴ枠の内部には石等が充填された状態で、設置せしめてなるカゴ枠設置ゾーンとを含んで構成され、且つ該カゴ枠設置ゾーンに設置される前記カゴ枠の上部部位が、前記魚巣ブロック設置ゾーンに設置される前記魚巣ブロックの前記底壁の上面よりも上方に位置せしめられた状態で、それら魚巣ブロック設置ゾーンとカゴ枠設置ゾーンとが、前記河川乃至は水路の水流に沿った方向において互いに隣接するように、並んで配設されていることを特徴とする護岸構造。
【請求項２】
前記カゴ枠設置ゾーンに設置される前記カゴ枠の上部部位が、前記魚巣ブロック設置ゾーンに設置される前記魚巣ブロックの前記天井壁の上面よりも上方に突出するように、位置せしめられている請求項１に記載の護岸構造。
【請求項３】
前記魚巣ブロック設置ゾーンと前記カゴ枠設置ゾーンの並設方向において、かかる並設方向の少なくとも一端に、該カゴ枠設置ゾーンが配設されている請求項１又は請求項２に記載の護岸構造。
【発明の詳細な説明】
【技術分野】
【０００１】
本発明は、川、谷等の河川や、人工運河等の水路等の岸に構築される護岸構造に係り、特に、水生動物の生息や水生植物の生育に適した環境を、より有利に形成し得る護岸構造に関するものである。
【背景技術】
【０００２】
一般に、川、谷等の河川や、人工運河等の水路等の水が流れる水系の岸には、水勢に抵抗して、かかる岸に設けられた鉛直面や斜面からなる法面を保護する護岸が構築されるが、近年では、環境保護に対する関心の高まりから、そのような護岸に対して、単に、水害防止だけではなく、自然保護の機能をも有することが要求されている。そのため、例えば、魚や貝、蟹等の水生動物の生息場所を与える魚巣付きの、所謂魚巣ブロックを用いる等して、周囲の自然や生態系に配慮した護岸造りが、各地で行われるようになってきている。
【０００３】
ところで、そのような魚巣ブロックを用いて構築された護岸の一種に、下記特許文献１に開示される如き構造の魚巣ブロックの複数を用いて構築されたものが、知られている。即ち、所定幅をもって左右方向に延びる底壁と、この底壁の前後方向における前縁部に立設された、高さの低い前壁と、底壁の前後方向における後縁部に立設された、前壁よりも高さの高い後壁と、後壁の上縁部から前方に延びるように突設された、底壁よりも前後方向の長さが短い天井壁とが一体成形されてなる、矩形Ｃ字型断面形状の魚巣ブロックの複数が、各魚巣ブロックの後壁の後面を、岸の法面に向け、且つ縦壁及び後壁を、水流に沿った方向に延びるように位置せしめると共に、底壁上に石等（土砂や砕石、栗石、玉石等を含む。以下同じ）が敷設された状態で、互いに隣接するように並べられて、設置せしめられることにより構築された構造の護岸が、それである。
【０００４】
このような護岸構造によれば、河川や水路の岸に対して、単に、複数の魚巣ブロックを、所定の向きで、決まった方向に並べるだけで、堅牢な護岸が容易に構築されるだけでなく、各魚巣ブロックにおける底壁と後及び前壁と天井壁とにて囲まれて、下部側に石等が敷き詰められた内側空間にて、水生動物の隠れ家として機能する、自然に近い魚巣が、水路の岸に沿って、広い面積で形成され得るといった利点が得られる。
【０００５】
そして、特に、かかる従来の護岸において、複数の魚巣ブロックを、河川や水路の流れに沿った方向、つまり水流方向において互いに隣接して配置した構造を採用する場合、各魚巣ブロックの内側空間にて形成される魚巣内での水の循環が、より十分に確保されて、水生動物の生息に、更に好適な環境が形成され得るといった効果が、期待され得るのである。
【０００６】
ところが、かくの如き護岸構造では、互いに隣り合う魚巣ブロックの内側空間同士にて、水流方向に延びる狭い連続空間が形成されることとなるために、河川や水路の水勢によっては、かかる連続空間内の水流の速さが、小魚等が住み着くには適さない大きさとなってしまう恐れがあったのであり、また、天井壁が設けられているところから、内側空間の最深部にまで、日光を十分に照射させることが難しいため、水草や藻等の水生植物の生育に対して、最良の環境を与えることが困難であったのである。
【０００７】
しかも、かかる従来の護岸構造においては、通常、複数の魚巣ブロックの並設方向の両端に位置するものの外側に、それらの移動を阻止するためのコンクリート製の壁等が必要とされており、そのため、そのようなコンクリート製の壁等を現場施工により形成するのに、面倒で且つ余分な日数が掛かる作業を行なわなければならないといった問題も、内在していたのである。
【０００８】
一方、水生植物の生育にとって、より良い環境を形成し得る護岸構造として、例えば、下記特許文献２等に開示される如く、複数の開口を有する鋳鉄製の平面枠にて四方が取り囲まれてなる、所定高さの矩形のカゴ枠を複数用い、これら複数のカゴ枠が、その内部に石等を充填した状態で、河川や水路の岸に並べて設置されることにより、構築された護岸も、知られている。このような複数のカゴ枠を用いて構成した護岸構造においては、各カゴ枠の内部に、平面枠の開口や平面枠のない上側部分から、日光が直接に且つ十分に照射されるため、そのようなカゴ枠の内部が、水生植物が生育し易い環境とされ得ることとなる。
【０００９】
しかしながら、かくの如き護岸構造においては、通常、護岸の強度やカゴ枠の堅牢性を高めることを目的として、石等が、平面枠の上縁部に達する位置にまで、カゴ枠一杯に詰められることになるため、カゴ枠の内部に、水生動物、特に魚等が住み着くスペースを確保することが難しく、それ故に、魚巣としての機能が十分には発揮され得ないといった問題が、内在していたのである。
【００１０】
【特許文献１】特許第２７０９４２７号公報
【特許文献２】特許第３０４９３５５号公報
【発明の開示】
【発明が解決しようとする課題】
【００１１】
ここにおいて、本発明は、上述せる如き事情を背景にして為されたものであって、その第一の解決課題とするところは、堅牢な構造をもって容易に構築され得ると共に、水生動物の生息や水生植物の生育にとって、より好適な環境を有利に形成し得る護岸の新規な構造を提供することにある。また、本発明にあっては、可及的に短い期間で、且つより簡単な作業にて完成され得る護岸の構造を提供することを、その第二の解決課題とするものである。
【課題を解決するための手段】
【００１２】
そして、本発明にあっては、前記第一の課題の解決のために、その第一の態様とするところは、河川乃至は水路の岸に構築される護岸構造であって、所定幅をもって左右方向に延びる底壁と、該底壁の前後方向における前縁部に立設された、高さの低い前壁と、該底壁の前後方向における後縁部に立設された、該前壁よりも高さの高い後壁と、該後壁の上縁部から前方に延びるように突設された、前記底壁よりも前後方向の長さが短い天井壁とが一体成形されてなる、矩形Ｃ字型断面形状の魚巣ブロックの少なくとも一つを用い、該魚巣ブロックを、該後壁の後面が前記岸の法面側に向くように、且つ前記前壁及び後壁が、前記河川乃至は水路の水流に沿った方向に延びるように、位置せしめられると共に、該魚巣ブロックの前記底壁上に石等が敷設された状態で、設置せしめてなる魚巣ブロック設置ゾーンと、多数の開口を設けて多孔形態とした鋳鉄製の平面枠にて四方が取り囲まれてなる、所定高さの矩形のカゴ枠の少なくとも一つを用い、該カゴ枠を、その一側面が、前記岸の法面側に向くように、そして該カゴ枠の内部には石等が充填された状態で、設置せしめてなるカゴ枠設置ゾーンとを含んで構成され、且つ該カゴ枠設置ゾーンに設置される前記カゴ枠の上部部位が、前記魚巣ブロック設置ゾーンに設置される前記魚巣ブロックの前記底壁の上面よりも上方に位置せしめられた状態で、それら魚巣ブロック設置ゾーンとカゴ枠設置ゾーンとが、前記河川乃至は水路の水流に沿った方向において互いに隣接するように、並んで配設されていることを特徴とする護岸構造にある。
【００１３】
また、そのような本発明に従う護岸構造の好ましい第二の態様においては、前記カゴ枠設置ゾーンに設置される前記カゴ枠の上部部位が、前記魚巣ブロック設置ゾーンに設置される前記魚巣ブロックの前記天井壁の上面よりも上方に突出するように、位置せしめられる。
【００１４】
さらに、本発明に従う護岸構造の有利な第三の態様では、前記第二の課題の解決のために、前記魚巣ブロック設置ゾーンと前記カゴ枠設置ゾーンの並設方向において、かかる並設方向の少なくとも一端に、該カゴ枠設置ゾーンが配設されることとなる。
【発明の効果】
【００１５】
すなわち、本発明に従う護岸構造の第一の態様によれば、少なくとも一つの魚巣ブロックが設置されてなる魚巣ブロック設置ゾーンと、少なくとも一つのカゴ枠が設置されてなるカゴ枠設置ゾーンとが、魚巣ブロックの後壁の後面と、カゴ枠の一側面とを、河川や水路の岸の法面に向けて、互いに隣接するように、並んで配設されるだけで、護岸が構築されるようになっているところから、例えば、現場で、擁壁等を形成するような面倒で手間の掛かる作業等を何等行うことなく、魚巣ブロックとカゴ枠とを、単に、河川や水路の岸に沿って並べるだけの極めて簡単な作業にて、堅牢な護岸が、容易に構築され得る。
【００１６】
また、かかる護岸構造では、魚巣ブロック設置ゾーンに設置される魚巣ブロックが、底壁と後及び前壁と天井壁とにて囲まれて、下部側に石等が敷き詰められた内側空間を有しているところから、かかる内側空間にて、水生動物の隠れ家として機能する、自然に近い魚巣が有利に形成され得るのであり、しかも、そのような内側空間の一部を与える前壁及び後壁が、河川や水路の水流に沿った方向に延びるように位置せしめられているため、内側空間内での水の循環が、より十分に確保され得、それによって、かかる内側空間にて形成される魚巣に対して、水生動物の生息に、更に好適な環境が、より効果的に与えられ得る。
【００１７】
そして、特に、本発明に係る護岸構造においては、上述の如き魚巣ブロックの少なくとも一つが設置されてなる魚巣ブロック設置ゾーンと、所定高さの矩形のカゴ枠の少なくとも一つが、内部に土砂や石が充填された状態で、設置されてなるカゴ枠設置ゾーンとが、カゴ枠設置ゾーンにおけるカゴ枠の上部部位を、魚巣ブロック設置ゾーンにおける魚巣ブロックの底壁の上面よりも上方に位置せしめた状態で、水流に沿った方向において互いに隣接するように並んで配設されているところから、例えば、水勢が大きな場所に構築される場合にあっても、魚巣を形成する魚巣ブロックの内側空間内の水流が、内部に石が充填されたカゴ枠の上部部位に衝突して、効果的に減速せしめられ、それによって、魚巣内の水流の速さが、小魚等が住み着くには適さない程、大きなものとなってしまうようなことが、効果的に防止され得る。
【００１８】
しかも、かかる護岸構造では、カゴ枠が、多数の開口を設けて多孔形態とした鋳鉄製の平面枠にて四方が取り囲まれた構造とされているため、平面枠の開口や、平面枠のない上側部分から、カゴ枠の内部に、日光が直接に且つ十分に照射され、それによって、かかるカゴ枠の内部に、水生植物の生育にとって、より良い環境が形成され得る。
【００１９】
従って、このような本発明に従う護岸構造によれば、河川や水路の岸に、護岸が、堅牢な構造をもって容易に構築され得るばかりでなく、かかる河川や水路の水勢に拘わらず、魚巣ブロックの内側空間にて形成される魚巣にて、水生動物の生息に、より好適な環境が安定的に確保され得ると共に、カゴ枠の内部に、水生植物の生育にとって、より良い環境が有利に形成され得る。そして、その結果として、単に、護岸が構築される河川は水路の岸における水害防止が図られ得るだけでなく、かかる河川や水路の周囲の自然や生態系の保護乃至は保全に対して、大きく寄与し得ることとなるのである
【００２０】
また、本発明に従う護岸構造の第二の態様によれば、魚巣ブロックの天井壁の上面上を流れる水流が、カゴ枠の上部部位に衝突して、効果的に減速せしめられるため、水勢が大きな河川や水路の岸に構築される場合でも、魚巣ブロックの天井壁の上面上において、小魚等が集まる生態系保全空間としての機能が、有利に発揮され得る。
【００２１】
さらに、本発明に従う護岸構造の第三の態様では、魚巣ブロック設置ゾーンとカゴ枠設置ゾーンの並設方向の少なくとも一端に配設されたカゴ枠設置ゾーンにおけるカゴ枠にて、魚巣ブロック設置ゾーンに設置される魚巣ブロックの移動を阻止する壁の役割が、十分に発揮され得るため、そのようなカゴ枠設置ゾーンが配設された、魚巣ブロック設置ゾーンとカゴ枠設置ゾーンの並設方向の少なくとも一端の外側に、魚巣ブロック設置ゾーンに設置される魚巣ブロックの移動を阻止するためのコンクリート製の壁等を、現場施工により形成する必要が、有利に解消され得る。
【００２２】
それ故、このような本発明に従う護岸構造によれば、コンクリート壁等を形成するための面倒で且つ余分な日数が掛かる作業を行う必要が皆無ならしめられ得、以て、護岸の施工開始から完成までに要する工期の短縮化と、現場施工での労力負担の軽減化とが、効果的に実現され得て、施工性の向上が、極めて有利に図られ得ることとなるのである。
【発明を実施するための最良の形態】
【００２３】
以下、本発明をより具体的に明らかにするために、本発明に係る護岸構造の構成について、図面を参照しつつ、詳細に説明することとする。
【００２４】
先ず、図１には、本発明に従う構造をもって、川岸に構築される護岸が、その正面形態において、概略的に示されている。かかる図１において、１０は、魚巣ブロック設置ゾーンであり、また、１２は、カゴ枠設置ゾーンで、それら魚巣ブロック設置ゾーン１０とカゴ枠設置ゾーン１２とが、交互に配設されることにより、本実施形態の護岸が構築されている。
【００２５】
より具体的には、魚巣ブロック設置ゾーン１０は、魚巣ブロック１４の四つが、階段状に、二段に積み上げられて、設置されることにより、構成されている。この魚巣ブロック設置ゾーン１０を構成する魚巣ブロック１４は、特許第２７０９４２７号公報に開示される魚巣ブロックと同一の構造を有している。
【００２６】
すなわち、図１及び図２から明らかなように、魚巣ブロック１４は、補強鉄筋（図示せず）が埋設されたコンクリート製のブロックからなり、所定の幅をもって左右方向に延びる、平板状の底壁１６を有している。また、この底壁１６の前後方向における後縁部には、左右方向の長さの全長に亘って、連続して延びる後壁２０が、所定の高さをもって、一体的に立設されている一方、かかる底壁１６の前縁部には、後壁２０に対向して、左右方向に連続して延びる前壁１８が、後壁２０よりも所定寸法だけ低い高さをもって、一体的に立設されている。更に、底壁１６の後端縁部に設けられた後壁２０の上端縁部には、底壁１６と対向して、前方に延びる天井壁２２が、底壁１６と同一の幅と、底壁１６の前後方向の長さの略半分程度の長さとをもって、一体的に形成されている。更にまた、底壁１６の前端縁部に設けられた前壁１８には、その延出方向の一端部に、切欠部２４が、形成されている。
【００２７】
これによって、魚巣ブロック１４が、底壁１６と後及び前壁２０，１８と天井壁２２の四つの壁部と、それら四つの壁部１６，１８，２０，２２にて囲まれてなる内側空間２６とを有する、矩形Ｃ字形断面形状を呈する一体成形品として、構成されている。また、このような魚巣ブロック１４が有する内側空間２６は、底壁１６の左右方向両側部分において、側方に開口せしめられると共に、前壁１８と天井壁２２との間の部分において、上方に開口せしめられ、更に、前壁１８の切欠部２４において前方に開口せしめられている。
【００２８】
そして、このような魚巣ブロック１４の二つが、それぞれ、後壁２０の後面を、川岸に所定の傾斜角度をもって形成された法面２８に対向させると共に、前壁１８と後壁２０とを、川の流れに沿った方向（図１では左右方向で、図２では紙面に垂直な方向）、つまり水流方向に延びるように位置させた状態で、前壁１８同士と後壁２０同士とが、それぞれ一直線となるように、水流方向において互いに並んで隣接して、川底３０上に、水平に設置されており、また、そのような設置状態下で、各魚巣ブロック１４の底壁１６上に、砂利、栗石、玉石等の石３２が、均一な高さに或いは凹凸状に敷き詰められている。
【００２９】
これにより、それら二つの魚巣ブロック１４ａ，１４ｂにて、合計四つの魚巣ブロック１４ａ〜１４ｄが、階段状に二段に積み上げられてなる魚巣ブロック設置ゾーン１０の下段が、水中に沈められた状態で、形成されている。なお、これら二つの魚巣ブロック１４ａ，１４ｂの各底壁１６と川底３０との間には、必要に応じて、栗石が敷設されたり、捨コンクリートが打設されたりして、各魚巣ブロック１４ａ，１４ｂの水平度の確保や各魚巣ブロック１４が設置される川底３０の洗掘防止等が、図られることとなる。
【００３０】
そして、かかる魚巣ブロック設置ゾーン１０の下段を与える二つの魚巣ブロック１４ａ，１４ｂの各後壁２０の後面と、それに対向する法面２８との間に、砂利、栗石、玉石等の石３２の多数が、各魚巣ブロック１４ａ，１４ｂの天井壁２２の上面と略面一となる高さにまで充填された状態下で、別の二つの魚巣ブロック１４ｃ，１４ｄが、魚巣ブロック設置ゾーン１０の下段を与える二つの魚巣ブロック１４ａ，１４ｂ上において、法面２８の傾斜角度に応じた分だけ、かかる下段の各魚巣ブロック１４ａ，１４ｂよりも法面２８側に変位せしめられて、段違いに設置されている。
【００３１】
すなわち、かかる二つの魚巣ブロック１４ｃ，１４ｄは、それぞれ、魚巣ブロック設置ゾーン１０の下段を与える二つの魚巣ブロック１４ａ，１４ｂの上方において、それら各魚巣ブロック１４ａ，１４ｂと同様に、後壁２０の後面を、川岸に形成された法面２８に対向させると共に、前壁１８と後壁２０とを水流方向に延びるように位置させた状態で、前壁１８同士と後壁２０同士とが、それぞれ一直線となるように、水流方向において互いに隣接して、配置されている。そして、そのような配置状態下で、それら二つの魚巣ブロック１４ｃ，１４ｄが、各底壁１６の前部において、魚巣ブロック設置ゾーン１０の下段を与える二つの魚巣ブロック１４ａ，１４ｂの各天井壁２２上に、水平に載置されると共に、各底壁１６の後部において、各魚巣ブロック１４ａ，１４ｂと法面２８との間に充填された多数の石３２の上に、水平に載置されている。また、これら二つの魚巣ブロック１４ａ，１４ｂの各底壁１６上にも、砂利、栗石、玉石等の石３２が、均一な高さに或いは凹凸状に敷き詰められている。
【００３２】
これにより、二つの魚巣ブロック１４ａ，１４ｂ上に、それぞれ水平に載置された二つの魚巣ブロック１４ｃ，１４ｄにて、合計四つの魚巣ブロック１４が、階段状に、二段に積み上げられてなる魚巣ブロック設置ゾーン１０の上段が、水中に沈められた状態で、形成されている。なお、これら二つの魚巣ブロック１４ｃ，１４ｄの各底壁１６と、その下側に充填される多数の石３２との間には、必要に応じて、捨コンクリートが打設されて、各魚巣ブロック１４ｃ，１４ｄの水平度が確保されることとなる。
【００３３】
かくして、川底３０側に、魚巣ブロック設置ゾーン１０の下段を形成する二つの魚巣ブロック１４ａ，１４ｂのそれぞれの内側空間２６にて、水流方向に連続する一つの連続空間が、形成される一方、川の水面側にも、魚巣ブロック設置ゾーン１０の上段を形成する二つの魚巣ブロック１４ｃ，１４ｄのそれぞれの内側空間２６にて、水流方向に連続する一つの連続空間が、形成されており、また、それら魚巣ブロック設置ゾーン１０の下段と上段とにそれぞれ形成される各連続空間が、内側空間２６の前記側方への開口部を通じて、水流方向に開口せしめられている。
【００３４】
そして、上述せる如く、魚巣ブロック設置ゾーン１０の下段と上段とにそれぞれ形成された連続空間が、四つの壁１６，１８，２０，２２にて囲まれた内側空間２６からなり、且つそのような連続空間を与える内側空間２６の底壁１６上に、石３２が敷き詰められていることにより、それら各連続空間が、水生動物の隠れ家として機能する、自然に近い魚巣３４として、それぞれ構成されている。また、それら各魚巣３４を与える連続空間が、水流方向に開口せしめられていることによって、各魚巣３４内での水の循環が、より十分に確保され得、以て、各魚巣３４内において、魚や貝、蟹等の水生動物の生息に、より好適な環境が形成され得るようになっている。更に、各魚巣３４にあっては、連続空間を与える内側空間２６の上方への開口部を通じて、直射日光が取り入れられて、魚巣３４内の水温が適温に保持されるようになっており、また、前記切欠部２４を通じての前方への開口部にて、魚巣３４内に侵入した魚等の逃げ道が確保され得るようになっている。
【００３５】
一方、図１及び図３に示されるように、カゴ枠設置ゾーン１２は、カゴ枠３６の四つが、階段状に二段に積み上げられて、設置されることにより、構成されている。このカゴ枠設置ゾーン１２を構成するカゴ枠３６は、ダクタイル鋳鉄等の材料を用いて、鋳造して得られた、四枚の鋳鉄製の平面枠３８ａ〜３８ｄを、所定高さの矩形のカゴ形態を呈するように、互いに対応する辺部において突き合わせ、その突合せ角部を、例えば、図示しないボルトにて連結せしめることにより、形成されている。即ち、カゴ枠３６は、四枚の平面枠３８ａ〜３８ｄにて四方が取り囲まれて、上方と下方とに開口する角筒形態を有して、構成されている。なお、このカゴ枠３６を構成する各平面枠３８は、何れも、多数の矩形状の開口４０を設けて、多溝形態とすることにより、堅牢な格子状の骨組み構造を呈する平面パネルとして、形成されている。
【００３６】
そして、このようなカゴ枠３６の二つが、それぞれ、一つの平面枠３８ａの外側面を、川岸に形成された法面２８に対向させると共に、この法面２８と対向する一つの平面枠３８ａに対して隣り合う二つの平面枠３８ｂ，３８ｃを、互いに対向し、且つ水流方向（図３では紙面に垂直な方向）に対して直角に位置して、水流を遮るように配された状態で、それら水流を遮る平面枠３８ｂ，３８ｃ同士が、それぞれの開口４０を対応させるように、水流方向において互いに並んで隣接して、川底３０上に、水平に設置されており、また、そのような設置状態下で、内部に、砂利、栗石、玉石等の石３２や土砂４２が、各平面枠３８の上端縁と略面一となる高さにまで、充填されている。これによって、これら二つのカゴ枠３６ａ，３６ｂにて、合計四つのカゴ枠３６ａ〜３６ｄが、階段状に、二段に積み上げられてなるカゴ枠設置ゾーン１２の下段が、水中に沈められた状態で、形成されている。
【００３７】
そしてまた、かかるカゴ枠設置ゾーン１２の下段を与える二つのカゴ枠３６ａ，３６ｂのそれぞれにおける一つの平面枠３８ａの外側面と、それに対向する法面２８との間に、砂利、栗石、玉石等の石３２等が、各カゴ枠３６ａ，３６ｂの平面枠３８の上端縁と略面一となる高さにまで充填された状態下で、別の二つのカゴ枠３６ｃ，３６ｄが、カゴ枠設置ゾーン１２の下段を与える二つのカゴ枠３６ａ，３６ｂ上において、法面２８の傾斜角度に応じた分だけ、かかる下段の各カゴ枠３６ａ，３６ｂよりも法面２８側に変位せしめられて、段違いに設置されている。
【００３８】
すなわち、かかる二つのカゴ枠３６ｃ，３６ｄは、それぞれ、カゴ枠設置ゾーン１２の下段を与える二つのカゴ枠３６ａ，３６ｂの上方において、それら各カゴ枠３６ａ，３６ｂと同様に、一つの平面枠３８ａの外側面を法面２８に対向させると共に、この法面２８と対向する一つの平面枠３８ａに対して隣り合う二つの平面枠３８ｂ，３８ｃを、互いに対向し、且つ水流を遮るように位置させた状態で、それら水流を遮る平面枠３８ｂ，３８ｃ同士が、それぞれの開口４０を対応させるように、水流方向において互いに並んで隣接して、配置されている。そして、そのような配置状態下で、それら二つのカゴ枠３６ｃ，３６ｄが、法面２８の傾斜角度に応じた分だけ、カゴ枠設置ゾーン１２の下段を与える二つのカゴ枠３６ａ，３６ｂの設置位置よりも、法面２８側にずらされて、それら各カゴ枠３６ａ，３６ｂの上面上やそれらの背後に充填された多数の石３２の上に、水平に載置されている。また、これら二つのカゴ枠３６ａ，３６ｂのそれぞれの内部にも、砂利、栗石、玉石等の石３２や土砂４２等が、各平面枠３８の上端縁と略面一となる高さにまで、充填されている。
【００３９】
これにより、二つのカゴ枠３６ａ，３６ｂ上に、それぞれ水平に載置された二つのカゴ枠３６ｃ，３６ｄにて、合計四つのカゴ枠３６ａ〜３６ｄが、階段状に、二段に積み上げられてなるカゴ枠設置ゾーン１２の上段が、水中に沈められた状態で、形成されている。      
【００４０】
そして、このような階段形態を呈するカゴ枠設置ゾーン１２を形成する四つのカゴ枠３６ａ〜３６ｄにあっては、上述せる如く、上方に開口せしめられると共に、多数の開口４０を有する四つの平面枠３８ａ〜ｄに取り囲まれた構造とされていると共に、カゴ枠設置ゾーン１２への設置状態下で、階段状に設置されているところから、内部に充填された石３２や土砂４２に対して、日光が直接に且つ十分に照射され得るようになっており、それによって、それら各カゴ枠３６ａ〜３６ｄの内部に、水草や藻等の水生植物の生育にとって、より良い環境が形成され得るように構成されている。
【００４１】
而して、本実施形態では、特に、前述せる如く、また図１からも明らかなように、上述の如き構造とされた魚巣ブロック設置ゾーン１０とカゴ枠設置ゾーン１２とが、水流に沿った方向において互いに隣り合い、且つ各魚巣ブロック１４の左側乃至は右側端面と、各カゴ枠３６の右側乃至は左側に位置する平面枠３８ｂ，３８ｃの外側面とを、相互に接触させた状態で、並んで配設されている。換言すれば、水流方向に隣り合う魚巣ブロック設置ゾーン１０同士の間に、カゴ枠設置ゾーン１２が介在せしめられるようにして、それら魚巣ブロック設置ゾーン１０とカゴ枠設置ゾーン１２とが、互いに隣接して、配設されている。
【００４２】
また、図１及び図２に示される如く、カゴ枠３６の平面枠３８の高さが、魚巣ブロック１４の高さよりも高くされていることによって、魚巣ブロック設置ゾーン１０よりもカゴ枠設置ゾーン１２が所定寸法高くされて、かかるカゴ枠設置ゾーン１２の上段に設置されたカゴ枠３６の上部部位が、魚巣ブロック設置ゾーン１０の上段に設置された魚巣ブロック１４における天井壁２２の上面よりも上方に、突出位置せしめられている。
【００４３】
これによって、水流方向に互いに隣り合う魚巣ブロック設置ゾーン１０，１０の下段と上段とにそれぞれ一つずつ形成された前記魚巣３４同士が、それらの魚巣ブロック設置ゾーン１０，１０の間に介在せしめられるカゴ枠設置ゾーン１２の下段と上段とにぞれぞれ設置されて、内部に土砂４２や石３２が充填されたカゴ枠３６にて、隔てられるようになっており、また、それら隣り合う魚巣ブロック設置ゾーン１０，１０のそれぞれの上段に設置される魚巣ブロック１４の天井壁２２よりも上側の空間同士も、カゴ枠設置ゾーン１２の上段に設置されるカゴ枠３６にて仕切られるようになっている。
【００４４】
かくして、ここでは、魚巣ブロック設置ゾーン１０の下段と上段とにそれぞれ一つずつ形成された魚巣３４内の水流が、かかる魚巣ブロック設置ゾーン１０の隣りに配設されるカゴ枠設置ゾーン１２の上段と下段の各カゴ枠３６と、その内部に充填される土砂４２や石３２等とに衝突して、減速せしめられるようになっており、以て、例えば、川の水勢が大きい場合にも、各魚巣３４内の水流の速さが、小魚等が住み着き易い大きさに維持され得るようになっている。そして、その結果として、川の水勢に拘わらず、各魚巣ブロック設置ゾーン１０の下段と上段とにそれぞれ形成された魚巣３４が、水生動物の生息に、より好適な環境と為され得るように構成されているのである。
【００４５】
さらに、本実施形態では、図１から明らかなように、水流方向に並んで配設された魚巣ブロック設置ゾーン１０とカゴ枠設置ゾーン１２の並設方向の両端に、カゴ枠設置ゾーン１２が、それぞれ配設されている。このため、そのような並設方向両端にそれぞれ設置されたカゴ枠設置ゾーン１２のカゴ枠３６が、その自重と内部に充填される土砂４２や石３２の重量とにて、魚巣ブロック設置ゾーン１０に設置される魚巣ブロック１４の水勢による移動を阻止する壁部としての役割を十分に果たし得るようになっている。そして、それによって、例えば、複数の魚巣ブロック１４のみを用い、それら複数の魚巣ブロック１４を水流方向に並べて設置することにより、護岸が構築される場合とは異なって、魚巣ブロック１４の移動を阻止するためのコンクリート製の壁等を、現場施工により形成する必要が、有利に解消される。
【００４６】
このように、本実施形態の護岸構造においては、例えば、現場で、擁壁等を形成するような面倒で手間の掛かる作業等を何等行うことなく、単に、四つの魚巣ブロック１４が階段状に設置されてなる魚巣ブロック設置ゾーン１０と、四つのカゴ枠３６が階段状に設置されてなるカゴ枠設置ゾーン１２とを、水流方向に互いに隣接するように、並べて配設するだけの簡単な作業にて、堅牢な護岸が、容易に構築され得るのである。
【００４７】
しかも、本実施形態の護岸構造によれば、水生動物の生息にとって、より適した環境が確保され得る魚巣３４を有する魚巣ブロック設置ゾーン１０と、水生植物の育成にとって、更に好適な環境を与えるカゴ枠設置ゾーン１２とが、水流方向に交互に配設されて、護岸が形成され得るようになっているため、単に、川岸における水害防止が図られ得るだけでなく、川の周囲の自然や生態系の保護乃至は保全が、極めて効果的に実現され得ることとなる。
【００４８】
また、本実施形態では、カゴ枠設置ゾーン１２の上段に設置されたカゴ枠３６の上部部位が、魚巣ブロック設置ゾーン１０の上段に設置された魚巣ブロック１４における天井壁２２の上面よりも上方に、突出位置せしめられているところから、例えば、魚巣ブロック設置ゾーン１０の上段の魚巣ブロック１４の全体が、川に水没した状態で設置されている場合等に、かかる魚巣ブロック設置ゾーン１０の上段における魚巣ブロック１４の天井壁２２よりも上側を流れる水流も、かかる天井壁２２から上方に突出位置せしめられた前記カゴ枠３６の上側部分と、その内部に充填される土砂４２や石３２等とに衝突して、減速せしめられるようになる。そして、それによって、魚巣ブロック設置ゾーン１０の上段に設置される魚巣ブロック１４の天井壁２２よりも上側の部分も、小魚等が住み着き易い環境と為され得て、生態系の保全効果が、更に一層有利に享受され得る。
【００４９】
さらに、この本実施形態においては、魚巣ブロック設置ゾーン１０とカゴ枠設置ゾーン１２の並設方向の両端に、カゴ枠設置ゾーン１２が、それぞれ配設されていることで、例えば、魚巣ブロック１４の移動を阻止するためのコンクリート製の壁等を、現場施工により形成する必要が解消されているところから、そのようなコンクリート壁等を形成するための面倒で且つ余分な日数が掛かる作業を行う必要が皆無ならしめられ得、それによって、護岸の施工期間の短縮化と現場施工での労力負担の軽減化とが有利に実現され得て、施工性が、効果的に高められ得ることとなる。
【００５０】
以上、本発明の具体的な構成について詳述してきたが、これはあくまでも例示に過ぎないのであって、本発明は、上記の記載によって、何等の制約をも受けるものではない。
【００５１】
例えば、前記実施形態では、四つの魚巣ブロック１４が、階段状に二段に積み上げられて、設置されることにより、魚巣ブロック設置ゾーン１０が構成されていたが、この魚巣ブロック設置ゾーン１０に設置される魚巣ブロック１４の個数や配設形態は、何等これに限定されるものではなく、例えば、魚巣ブロック設置ゾーン１０を、一つの魚巣ブロック１４のみにて構成したり、複数の魚巣ブロック１４を積み上げることなく、水流方向に一列に並べて設置することにより構成したり、或いは、複数の魚巣ブロック１４を三段以上積み上げて設置することにより構成して良い。
【００５２】
また、カゴ枠設置ゾーン１２も、魚巣ブロック設置ゾーン１０と同様に、一つのカゴ枠３６のみにて構成したり、複数のカゴ枠３６を積み上げることなく、水流方向に一列に並べて設置することにより構成したり、或いは、複数のカゴ枠３６を三段以上積み上げて設置することにより構成することも、可能である。
【００５３】
さらに、そのようなカゴ枠３６を、二つ又は三つの分割構造において構成したり、或いは角筒状の一体成形品にて構成しても良い。また、カゴ枠３６の下部に底部を取り付けることにより、カゴ枠３６を、矩形の筐体形態をもって構成しても、何等差し支えないのである。
【００５４】
更にまた、互いに隣り合って配設される魚巣ブロック設置ゾーン１０とカゴ枠設置ゾーン１２のそれぞれ個数も、例示のものに、決して限定されるものでないことは、言うまでもないところである。
【００５５】
また、カゴ枠３６の高さは、例示のものに、特に限定されるものではなく、カゴ枠設置ゾーン１２へのカゴ枠３６の設置状態下で、カゴ枠３６の上部部位が、魚巣ブロック設置ゾーン１０に設置される魚巣ブロック１４の底壁１６の上面よりも上方に位置せしめられるような高さとされておれば良い。従って、カゴ枠３６を、カゴ枠設置ゾーン１２への設置状態下で、魚巣ブロック設置ゾーン１０に設置される魚巣ブロック１４の底壁１６と天井壁２２との間の中間部位に位置せしめられるような高さとすることも出来る。
【００５６】
さらに、カゴ枠３６と魚巣ブロック１４とが、必ずしも同一高さの設置面上に設置されている必要はなく、例えば、カゴ枠３６を、魚巣ブロック１４の設置面よりも高い設置面上に設置することによって、カゴ枠３６の上部部位が、魚巣ブロック設置ゾーン１０に設置される魚巣ブロック１４の底壁１６の上面よりも上方に位置せしめられるように構成することも、可能である。
【００５７】
更にまた、前記実施形態では、魚巣ブロック設置ゾーン１０とカゴ枠設置ゾーン１２の並設方向両端に、カゴ枠設置ゾーン１２が配設されるようになっていたが、例えば、かかる並設方向の一端のみに、カゴ枠設置ゾーン１２を配設するようしても良い。なお、そのように、魚巣ブロック設置ゾーン１０とカゴ枠設置ゾーン１２の一端のみに、カゴ枠設置ゾーン１２を配設する場合には、魚巣ブロック設置ゾーン１０に設置される魚巣ブロック１４の水勢による移動を有利に阻止する上で、水流方向の下流側となる並設方向の一端のみに、カゴ枠設置ゾーン１２が設置されることが、望ましい。
【００５８】
また、前記実施形態では、魚巣ブロック設置ゾーン１０とカゴ枠設置ゾーン１２とが、所定の傾斜角度を有する傾斜面からなる法面２８の前方に配設されて、護岸が構築されていたが、例えば、鉛直面とされた法面の前方に、それら魚巣ブロック設置ゾーン１０とカゴ枠設置ゾーン１２とを配設して、護岸を構築するようにしても良い。
【００５９】
加えて、前記実施形態では、本発明を、川岸に構築される護岸構造に対して適用したものの具体例を示したが、本発明は、その他、谷や人工運河等の河川や水路等、水が流れる水系の岸に構築される護岸構造の何れに対しても、有利に適用され得るものであることは、勿論である。
【００６０】
その他、一々列挙はしないが、本発明は、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【図面の簡単な説明】
【００６１】
【図１】本発明に従う構造を有する護岸の正面説明図である。
【図２】図１のII−II断面における拡大説明図である。
【図３】図１のIII−III断面における拡大説明図である。
【符号の説明】
【００６２】
１０  魚巣ブロック設置ゾーン            １２  カゴ枠設置ゾーン
１４  魚巣ブロック                      １６  底壁
１８  前壁                              ２０  後壁
２２  天井壁                            ２６  内側空間
２８  法面                              ３２  石
３４  魚巣                              ３６  カゴ枠
４２  土砂
【図１】
2005188021.tif 000003
【図２】
2005188021.tif 000004
【図３】
2005188021.tif 000005